(57)【要約】【課題】レンチキュラーシートの途中で印画を中断した場合でも、残りの印画可能領域を有効に利用することができるとともに、残りの印画可能領域への印画開始までの時間を短縮すること。【解決手段】帯状のレンズが連続して形成されたレンズ面および該レンズ面の反対側の略平坦に形成された印画面を有するレンチキュラーシートを搬送するシート搬送部６０と、レンチキュラーシートの印画面に立体視可能な画像を印画するサーマルヘッド１４と、サーマルヘッド１４による画像の印画を中止させるシステム制御部５０と、画像の印画が中止された場合、レンチキュラーシートの残り印画可能領域を示す付加情報をレンチキュラーシートに付加する付加情報処理部６３とを備えた。【選択図】図４
2011194729.tif 000002
【特許請求の範囲】
【請求項１】
帯状のレンズが連続して形成されたレンズ面および該レンズ面の反対側の略平坦に形成された印画面を有するレンチキュラーシートを搬送するシート搬送手段と、
前記レンチキュラーシートの前記印画面に立体視可能な画像を印画する印画手段と、
前記印画手段による前記画像の印画を中止させる印画中止制御手段と、
前記画像の印画が中止された場合、前記レンチキュラーシートの残り印画可能領域を示す付加情報を前記レンチキュラーシートに付加する付加情報処理手段と、
を備えたことを特徴とするプリント装置。
【請求項２】
前記付加情報処理手段は、前記レンズの長手方向と平行な形状のパターンを、前記レンチキュラーシートに付加することを特徴とする請求項１に記載のプリント装置。
【請求項３】
前記付加情報処理手段は、前記レンチキュラーシートの残り印画可能サイズを示すサイズ情報を、前記レンチキュラーシートに付加することを特徴とする請求項１または２に記載のプリント装置。
【請求項４】
前記付加情報処理手段は、前記パターンが前記レンズのうち何番目の視点位置に印画されているかを示す視点位置情報を、前記レンチキュラーシートに付加することを特徴とする請求項２に記載のプリント装置。
【請求項５】
前記付加情報処理手段は、前記レンチキュラーシートの前記レンズ面におけるレンズピッチ情報を、前記レンチキュラーシートに付加することを特徴とする請求項１ないし４のうちいずれか１項に記載のプリント装置。
【請求項６】
前記レンチキュラーシートの一部分を切除する切除手段を備え、
前記付加情報処理手段は、前記切除手段により前記レンチキュラーシートの一部分を切除することで、前記レンチキュラーシートに前記付加情報を付加することを特徴とする請求項１ないし５のうちいずれか１項に記載のプリント装置。
【請求項７】
前記レンチキュラーシートの前記印画面にインクを与えるためのインクリボンであって前記付加情報用の色の領域が周期的に配置されたインクリボンを制御するインクリボン制御手段を備え、
前記印画手段は、前記付加情報を印画する際、前記インクリボンの前記付加情報用の色の領域のインクを前記レンチキュラーシートに転写することを特徴とする請求項１ないし６のうちいずれか１項に記載のプリント装置。
【請求項８】
前記インクリボンのうち付加情報用領域以外の各色ごとの領域の搬送方向における幅は、本プリント装置で印画可能な画像の最大幅に対応していることを特徴とする請求項７に記載のプリント装置。
【請求項９】
前記付加情報処理手段は、前記レンチキュラーシートのうち画像未印画領域のシート搬送方向における両端部に、前記付加情報を印画することを特徴とする請求項１ないし８のうちいずれか１項に記載のプリント装置。
【請求項１０】
前記付加情報処理手段は、前記レンチキュラーシートのうち印画中止までに既に印画した領域であって白色で印画する予定であった領域に、前記印画手段により前記付加情報を印画させることを特徴とする請求項１ないし９のうちいずれか１項に記載のプリント装置。
【請求項１１】
前記付加情報処理手段は、前記レンチキュラーシートにおける前記付加情報の印画位置を、前記レンチキュラーシートの端部に印画することを特徴とする請求項１ないし１０のうちいずれか１項に記載のプリント装置。
【請求項１２】
前記レンチキュラーシートがセットされるシートトレイと、
前記シートトレイに印画中止のレンチキュラーシートが存在するか否かを判定する印画中止シート判定手段と、を備え、
前記シート搬送制御部は、前記シートトレイにセットされた前記レンチキュラーシートの中に前記印画中止のレンチキュラーシートが存在すると判定された場合、未印画のレンチキュラーシートを未印画のまま排出して前記印画中止のレンチキュラーシートを前記シートトレイに残すことを特徴とする請求項１ないし１１のうちいずれか１項に記載のプリント装置。
【請求項１３】
前記レンチキュラーシートがセットされるシートトレイと、
前記シートトレイに印画中止のレンチキュラーシートが存在するか否かを判定する印画中止シート判定手段と、を備え、
前記シート搬送制御部は、前記シートトレイにセットされた前記レンチキュラーシートの中に前記印画中止のレンチキュラーシートが存在すると判定された場合、前記印画中止のレンチキュラーシートを排出して未印画のレンチキュラーシートを前記シートトレイに残すことを特徴とする請求項１ないし１１のうちいずれか１項に記載のプリント装置。
【請求項１４】
前記レンチキュラーシートが印画中止されたシートであるか否かを判定する印画中止シート判定手段と、
前記印画中止のレンチキュラーシートが検出されるまで、前記未印画のレンチキュラーシートで印画可能なフルサイズ未満の画像を印画しないように印画順番を制御する印画順番制御手段と、
を備えたことを特徴とする請求項１ないし１１のうちいずれか１項に記載のプリント装置。
【請求項１５】
前記印画手段で印画予定の複数の画像を記憶する記憶手段と、
前記レンチキュラーシートから前記付加情報を読み取る読取手段と、
前記記憶手段に記憶されている前記複数の画像のうちから、前記残り印画可能領域のサイズ以下の印画サイズが設定されている画像を検索する画像検索手段と、を備え、
前記印画手段は、検索された前記画像を、印画中止された前記レンチキュラーシートに印画することを特徴とする請求項１ないし１４のうちいずれか１項に記載のプリント装置。
【請求項１６】
前記印画手段で印画予定の複数の画像を記憶する記憶手段と、
前記レンチキュラーシートから前記付加情報を読み取る読取手段と、
前記記憶手段に記憶されている前記複数の画像のうちから、前記レンチキュラーシートに印画された前記付加情報の位置および前記付加情報の色に対応した部分を有する画像を検索する画像検索手段と、を備え、
前記印画手段は、検索された前記画像を前記付加情報の上に印画することを特徴とする請求項１ないし１４のうちいずれか１項に記載のプリント装置。
【請求項１７】
前記印画手段で印画予定の複数の画像を記憶する記憶手段と、
前記シートトレイにセットされた前記レンチキュラーシートの中に前記印画中止のレンチキュラーシートが存在すると判定された場合、前記記憶手段に記憶された画像の中から印画サイズが前記未印画のレンチキュラーシートで印画可能な最大サイズよりも小さい画像を検索する画像検索手段と、
前記画像の印画順番を管理する印画順番管理手段であって前記画像検索手段により検索された前記画像を印画順番の先頭に移動する印画順番管理手段と、
を備えたことを特徴とする請求項１２に記載のプリント装置。
【請求項１８】
前記記憶手段に記憶されている前記複数の画像を印画予定の順番に表示する表示手段と、
前記順番と異なる順番で印画された場合、印画結果に応じて前記表示手段に表示する前記画像の順番またはファイル番号を変更する順番変更手段と、
を備えたことを特徴とする請求項１５ないし１７のうちいずれか１項に記載のプリント装置。
【請求項１９】
帯状のレンズが連続して形成されたレンズ面および該レンズ面の反対側の略平坦に形成された印画面を有するレンチキュラーシートを用意し、前記レンチキュラーシートの前記印画面に印画手段により立体視可能な画像を印画するプリント方法であって、
前記印画手段による前記立体画像の印画を中止させるステップと、
前記立体画像の印画が中止された場合、前記レンチキュラーシートの残り印画可能領域を示す付加情報を前記レンチキュラーシートに付加するステップと、
を備えたことを特徴とするプリント方法。
【発明の詳細な説明】
【技術分野】
【０００１】
本発明は、立体視可能な写真プリントを作成可能なプリント装置およびプリント方法に関する。
【背景技術】
【０００２】
特許文献１には、インクリボンが終端に到達した時点で印字動作を停止させて、インクリボンカセットが交換された後、次のラベルから印字を開始する構成が開示されている。
【０００３】
特許文献２には、モータの惰性回転によりテープがそのまま僅かに搬送された場合でも、印字抜けが生じることなく印字動作を再開できるようにするため、テープへの印字途中で印字動作を中断した際に、モータへの駆動電圧の供給が停止された後も、印字ヘッドへの駆動電圧の供給を継続する構成が開示されている。
【先行技術文献】
【特許文献】
【０００４】
【特許文献１】特許４１１９１７７号公報
【特許文献２】特開平１０−１８１１１０号公報
【発明の概要】
【発明が解決しようとする課題】
【０００５】
特許文献１記載の構成では、印字途中のラベルを利用せずに次のラベルから印字を開始するため、印字が中断すると１枚ラベルを無駄にしてしまう。
【０００６】
特許文献２記載の構成では、印画中断後に印画再開する場合、テープがどれだけ搬送されたかの計算値に基づいて印画を再開するため、その印画中断したテープと異なるテープが挿入され得る環境では、適応できない。
【０００７】
例えば、レンチキュラーシートの途中で画像の印画を中止し、そのレンチキュラーシートの残り印画可能領域に別の画像を印画しようとした場合、印画中断シートと未印画シートとが混在して給紙トレイにセットされたり、残り印画可能領域のサイズが異なる印画中止シートが混在して給紙トレイにセットされたりすると、残り印画可能領域への印画開始までの前処理として測定などに時間がかかってしまう。
【０００８】
本発明はこのような事情に鑑みてなされたもので、レンチキュラーシートの途中で印画を中断した場合でも、残り印画可能領域を有効に利用することができるとともに、残り印画可能領域への印画開始までの時間を短縮することができるプリント装置およびプリント方法を提供することを目的とする。
【課題を解決するための手段】
【０００９】
前記目的を達成するために、本発明は、帯状のレンズが連続して形成されたレンズ面および該レンズ面の反対側の略平坦に形成された印画面を有するレンチキュラーシートを搬送するシート搬送手段と、前記レンチキュラーシートの前記印画面に立体視可能な画像を印画する印画手段と、前記印画手段による前記画像の印画を中止させる印画中止制御手段と、前記画像の印画が中止された場合、前記レンチキュラーシートの残り印画可能領域を示す付加情報を前記レンチキュラーシートに付加する付加情報処理手段と、を備えたことを特徴とするプリント装置を提供する。即ち、レンチキュラーシートの途中で印画を中断した場合、その印画中止したレンチキュラーシート（印画中止シート）に残り印画可能領域を示す付加情報を付加するので、その付加情報を読み取るようにすれば、残り印画可能領域を検知することができ、印画中止シートを無駄にすることなく残り印画可能領域を有効に利用することができる。また、残り印画可能領域に他の画像を印画する際に、付加情報を読み取るようにすれば、残り印画可能領域に関する測定を行う必要がなくなり、残り印画可能領域への印画開始までの前処理時間を短縮することができる。
【００１０】
本発明の一態様では、前記付加情報処理手段は、前記レンズの長手方向と平行な形状のパターンを、前記レンチキュラーシートに付加することを特徴とする。即ち、印画中止シートの残り印画可能領域に印画する際、パターンを読み取ることで、残り印画可能領域の印画開始位置を検知することができるとともに、レンズの長手方向の傾きを測定することなく確実に且つ精度良くレンチキュラーシートの傾き調整を行うことができる。
【００１１】
本発明の一態様では、前記付加情報処理手段は、前記レンチキュラーシートの残り印画可能サイズを示すサイズ情報を、前記レンチキュラーシートに付加することを特徴とする。即ち、印画中止シートの残り領域に印画する際、レンチキュラーシートに付加されたサイズ情報を読み取ることで、残り印画可能サイズを測定したり算出したりする必要がなくなり、前処理時間を短縮することができる。
【００１２】
本発明の一態様では、前記付加情報処理手段は、前記パターンが前記レンズのうち何番目の視点位置に印画されているかを示す視点位置情報を、前記レンチキュラーシートに付加することを特徴とする。即ち、印画中止シートの残り領域に印画する際、視点位置情報を読み取ることで、パターンがレンズのどの位置に存在するのか判るので、パターンを確実に検出して精度よくレンチキュラーシートの傾き調整を行うことができる。
【００１３】
本発明の一態様では、前記付加情報処理手段は、前記レンチキュラーシートの前記レンズ面におけるレンズピッチ情報を、前記レンチキュラーシートに付加することを特徴とする。即ち、印画中止シートの残り領域に印画する際、レンズピッチ情報を読み取ることで、レンズピッチを測定する必要がなくなり、前処理時間を短縮することができる。
【００１４】
本発明の一態様では、前記レンチキュラーシートの一部分を切除する切除手段を備え、前記付加情報処理手段は、前記切除手段により前記レンチキュラーシートの一部分を切除することで、前記レンチキュラーシートに前記付加情報を付加することを特徴とする。即ち、レンチキュラーシートの切除形状により付加情報を表現することで、印画中止シートの残り印画可能領域を最大限に利用することができる。
【００１５】
本発明の一態様では、前記レンチキュラーシートの前記印画面にインクを与えるためのインクリボンであって前記付加情報用の色の領域が周期的に配置されたインクリボンを制御するインクリボン制御手段を備え、前記印画手段は、前記付加情報を印画する際、前記インクリボンの前記付加情報用の色の領域のインクを前記レンチキュラーシートに転写することを特徴とする。
【００１６】
本発明の一態様では、前記インクリボンのうち付加情報用領域以外の各色ごとの領域の搬送方向における幅は、本プリント装置で印画可能な画像の最大幅に対応していることを特徴とする。
【００１７】
本発明の一態様では、前記付加情報処理手段は、前記レンチキュラーシートのうち画像未印画領域のシート搬送方向における両端部に、前記付加情報を印画することを特徴とする。即ち、印画中止したレンチキュラーシートをプリント装置にセットしたときに、どちら側からでも直ぐに付加情報をセンサで読み取ることができる。レンチキュラーシート全域をセンサで走査する必要がないので、画像印画開始までの時間を短縮することができる。
【００１８】
本発明の一態様では、前記付加情報処理手段は、前記レンチキュラーシートのうち印画中止までに既に印画した領域であって白色で印画する予定であった領域に、前記印画手段により前記付加情報を印画させることを特徴とする。即ち、印画済領域に付加情報を印画することで、残り印画可能領域を最大にすることができる。
【００１９】
本発明の一態様では、前記レンチキュラーシートにおける前記付加情報の印画位置を、前記レンチキュラーシートの端部に印画することを特徴とする。即ち、レンチキュラーシートの端部を読み取ることで、付加情報がレンチキュラーシートのどこにあるのか探さなくてもよいため、探索時間を削減できる。
【００２０】
本発明の一態様では、前記レンチキュラーシートがセットされるシートトレイと、前記シートトレイに印画中止のレンチキュラーシートが存在するか否かを判定する印画中止シート判定手段と、を備え、前記シート搬送制御部は、前記シートトレイにセットされた前記レンチキュラーシートの中に前記印画中止のレンチキュラーシートが存在すると判定された場合、未印画のレンチキュラーシートを未印画のまま排出して前記印画中止のレンチキュラーシートを前記シートトレイに残すことを特徴とする。即ち、優先的に印画中止シートを使用することができる。
【００２１】
本発明の一態様では、前記レンチキュラーシートがセットされるシートトレイと、前記シートトレイに印画中止のレンチキュラーシートが存在するか否かを判定する印画中止シート判定手段と、を備え、前記シート搬送制御部は、前記シートトレイにセットされた前記レンチキュラーシートの中に前記印画中止のレンチキュラーシートが存在すると判定された場合、前記印画中止のレンチキュラーシートを排出して未印画のレンチキュラーシートを前記シートトレイに残すことを特徴とする。
【００２２】
本発明の一態様では、前記レンチキュラーシートが印画中止されたシートであるか否かを判定する印画中止シート判定手段と、前記印画中止のレンチキュラーシートが検出されるまで、前記未印画のレンチキュラーシートで印画可能なフルサイズ未満の画像を印画しないように印画順番を制御する印画順番制御手段と、を備えたことを特徴とする。
【００２３】
本発明の一態様では、前記印画手段で印画予定の複数の画像を記憶する記憶手段と、前記レンチキュラーシートから前記付加情報を読み取る読取手段と、前記記憶手段に記憶されている前記複数の画像のうちから前記残り印画可能領域のサイズ以下の印画サイズが設定されている画像を検索する画像検索手段と、を備え、前記印画手段は、検索された前記画像を、印画中止された前記レンチキュラーシートに印画することを特徴とする。即ち、印画中止シートを有効利用することができる。なお、記憶手段および画像検索手段をパーソナルコンピュータによって構成し、パーソナルコンピュータに付加情報を送信するようにしてもよい。
【００２４】
本発明の一態様では、前記印画手段で印画予定の複数の画像を記憶する記憶手段と、前記レンチキュラーシートから前記付加情報を読み取る読取手段と、前記記憶手段に記憶された前記複数の画像のうちから、前記レンチキュラーシートに印画された前記付加情報の位置および前記付加情報の色に対応した部分を有する画像を検索する画像検索手段と、を備え、前記印画手段は、検索された前記画像を、前記付加情報の上に印画することを特徴とする。例えば、付加情報の色が黒である場合、付加情報の位置に対応する位置が黒領域である画像を検索して、その画像を付加情報の上から印画すると、レンチキュラーシート上の付加情報を見えなくすることができるので、レンチキュラーシートの利用効率を向上させることができる。なお、記憶手段および画像検索手段をパーソナルコンピュータによって構成し、パーソナルコンピュータに付加情報を送信するようにしてもよい。
【００２５】
本発明の一態様では、前記印画手段で印画予定の複数の画像を記憶する記憶手段と、前記シートトレイにセットされた前記レンチキュラーシートの中に前記印画中止のレンチキュラーシートが存在すると判定された場合、前記記憶手段に記憶された画像の中から印画サイズが前記未印画のレンチキュラーシートで印画可能な最大サイズよりも小さい画像を検索する画像検索手段と、前記画像の印画順番を管理する印画順番管理手段であって前記画像検索手段により検索された前記画像を印画順番の先頭に移動する印画順番管理手段と、を備えたことを特徴とする。なお、記憶手段および画像検索手段および印画順番管理手段をパーソナルコンピュータによって構成し、パーソナルコンピュータに付加情報を送信するようにしてもよい。
【００２６】
本発明の一態様では、前記記憶手段に記憶されている前記複数の画像を印画予定の順番に表示する表示手段と、前記順番と異なる順番で印画された場合、印画結果に応じて前記表示手段に表示する前記画像の順番またはファイル番号を変更する順番変更手段と、を備えたことを特徴とする。即ち、ユーザの混乱を避けることができる。なお、表示手段をパーソナルコンピュータのモニタによって構成し、パーソナルコンピュータで画像の順番またはファイル番号を変更するようにしてもよい。
【００２７】
また、本発明は、帯状のレンズが連続して形成されたレンズ面および該レンズ面の反対側の略平坦に形成された印画面を有するレンチキュラーシートを用意し、前記レンチキュラーシートの前記印画面に印画手段により立体視可能な画像を印画するプリント方法であって、前記印画手段による前記立体画像の印画を中止させるステップと、前記立体画像の印画が中止された場合、前記レンチキュラーシートの残り印画可能領域を示す付加情報を前記レンチキュラーシートに付加するステップと、を備えたことを特徴とするプリント方法を提供する。
【発明の効果】
【００２８】
本発明によれば、レンチキュラーシートの途中で印画を中断した場合でも、残りの印画可能領域を有効に利用することができるとともに、残りの印画可能領域への印画開始までの時間を短縮することができる。
【図面の簡単な説明】
【００２９】
【図１】熱昇華型のプリント装置における印画の様子を示す模式図
【図２】（Ａ）は多視点画像を印画されたレンチキュラーシートの断面図、（Ｂ）はそのレンチキュラーシートの斜視透視図
【図３】熱昇華型のプリント装置の一例の機構を示す内部透視図
【図４】第１実施形態におけるプリント装置の一例の要部ブロック図
【図５】第１実施形態におけるプリント処理の一例の流れを示すフローチャート
【図６】第１実施形態における付加情報の一例を示す説明図
【図７】第２実施形態におけるプリント装置の一例の要部ブロック図
【図８】第２実施形態におけるプリント処理の一例の流れを示すフローチャート
【図９】第２実施形態における画像検索の説明に用いる説明図
【図１０】第３実施形態におけるプリント装置の一例の要部ブロック図
【図１１】第３実施形態におけるプリント処理の一例の流れを示すフローチャート
【図１２】（Ａ）印画中止直後のレンチキュラーシートの一例を示す図、（Ｂ）は切り抜き穴を形成したレンチキュラーシートの一例を示す図、（Ｃ）は切り欠きを形成したレンチキュラーシートの一例を示す図
【図１３】第４実施形態におけるプリント装置の一例の要部ブロック図
【図１４】第４実施形態におけるプリント処理の一例の流れを示すフローチャート
【図１５】第４実施形態の説明に用いる説明図であって、（Ａ）は印画予約時の表示順番を示す図、（Ｂ）は印画中止時のレンチキュラーシートの例を示す図、（Ｃ）は画像順番変更後の表示順番を示す図
【図１６】第５実施形態におけるプリント装置の一例の要部ブロック図
【図１７】第５実施形態におけるインクリボンの一例を示す図であって、（Ａ）は１色１ロールのインクリボンにて一定長ごとに付加情報用領域を配置した場合を示す図、（Ｂ）はＹＭＣ１ロールのインクリボンにて各色間に付加情報用領域を配置した場合を示す図、（Ｃ）はＹＭＣ１ロールのインクリボンにてＹＭＣ一組ごとに付加情報用領域を配置した場合を示す図
【図１８】第５実施形態におけるプリント処理の一例の流れを示すフローチャート
【図１９】第６実施形態におけるプリント装置の一例の要部ブロック図
【図２０】第６実施形態の説明に用いる説明図であって、（Ａ）は印画済部分を残した場合の印画中止シートを示す図、（Ｂ）は印画済部分を切り取った場合の印画中止シートを示す図、（Ｃ）はレンチキュラーシートがシートトレイにセットされたプリント装置の外観を示す図
【図２１】第６実施形態におけるプリント処理の一例の流れを示すフローチャート
【図２２】第７実施形態におけるプリント装置の一例の要部ブロック図
【図２３】第７実施形態におけるプリント処理の一例の流れを示すフローチャート
【図２４】第７実施形態の説明に用いる説明図であって、（Ａ）は画像の一例を示す図、（Ｂ）は白印画領域を示す図、（Ｃ）は白印画領域に印画した付加情報の一例を示す図、（Ｄ）はシート端部に印画した付加位置情報の一例を示す図
【図２５】第８実施形態におけるプリント装置の一例の外観図であって、（Ａ）は輝度検視センサをシートトレイに配設した場合の外観図、（Ｂ）輝度検知センサを本体に配設した場合のプリント装置の外観図
【図２６】第８実施形態におけるプリント装置の一例の要部ブロック図
【図２７】第８実施形態におけるプリント処理の一例の流れを示すフローチャート
【図２８】第９実施形態におけるプリント装置の一例の要部ブロック図
【図２９】第９実施形態におけるプリント処理の一例の流れを示すフローチャート
【図３０】第９実施形態の説明に用いる説明図であって、（Ａ）は輝度検視センサをシートトレイに配設した場合のプリント装置の外観図、（Ｂ）は印画予約順番の一例を示す図、（Ｃ）は印画順番の一例を示す図、（Ｄ）は輝度検知センサを本体に配設した場合のプリント装置の外観図
【図３１】第１０実施形態におけるプリント装置の一例の要部ブロック図
【図３２】第１０実施形態におけるプリント処理の一例の流れを示すフローチャート
【図３３】第１０実施形態におけるプリント処理の説明に用いる説明図
【図３４】第１１実施形態におけるプリント装置の一例の要部ブロック図
【図３５】第１１実施形態におけるプリント処理の一例の流れを示すフローチャート
【図３６】第１１実施形態におけるプリント処理の説明に用いる説明図であって、（Ａ）はシートトレイに印画中止シートがある場合のプリント装置を示す図、（Ｂ）はシートトレイに印画中止シートが無い場合のプリント装置を示す図、（Ｃ）は印画予約順番の一例を示す図、（Ｄ）はシートトレイに印画中止シートがある場合の印画順番の一例を示す図、（Ｅ）はシートトレイに印画中止シートが無い場合の印画順番の一例を示す図
【発明を実施するための形態】
【００３０】
以下、添付図面に従って、本発明の実施形態について、詳細に説明する。
【００３１】
図１は、熱昇華型のプリント装置１０におけるレンチキュラーシート１００への印画の様子を模式的に示す。
【００３２】
レンチキュラーシート１００は、かまぼこ状（断面略円弧状且つ帯状）のレンズ１０１ａ（レンチキュラーレンズ）が一定のピッチＡで連続して形成されたレンズ面１００ａと、レンズ面の反対側の略平坦に形成された印画面１００ｂとを有する受像材である。本例のレンチキュラーシート１００は、レンズが形成された透光性のレンチキュラー層１０１、およびインクを受容する受容層１０２によって構成されている。レンチキュラー層１０１は、サーマルヘッド１４の印画動作に対応した熱耐性を有する可撓性の樹脂、例えば、ポリカーボネート（ＰＣ）、ポリエチレンテレフタレート（ＰＥＴ）、アクリル（ＰＭＭＡ）で形成される。受容層１０２は、インクを吸収し、その色材を定着させるシート状の基材である。
【００３３】
インクリボン１１０は、レンチキュラーシート１００の受容層１０２にインクを転写するフイルム（転写フイルム）である。このインクリボン１１０は、サーマルヘッド１４に当接するベース層１１１、および染料インクを塗布したインク層１１２によって構成されている。
【００３４】
本例の熱昇華型のプリント装置１０では、プラテンローラ２０に対向して配置したサーマルヘッド１４により、インクリボン１１０に熱を与えてインクを昇華させ、レンチキュラーシート１００の受容層１０２にインクを付着させる。
【００３５】
なお、本発明は昇華型のプリント装置には特に限定されない。例えば、インクジェット型のプリント装置の場合、インクリボンは不要であって、サーマルヘッドの代わりに、インクを吐出するノズルを備えたインクジェットヘッドを用いる。
【００３６】
図２（Ａ）は多視点画像が印画されたレンチキュラーシートの断面図であり、図２（Ｂ）はそのレンチキュラーシートの斜視透視図である。
【００３７】
図２（Ａ）および（Ｂ）に示したように、レンチキュラー層１０１のレンズ１０１ａひとつに対応する受容層１０２の各帯状領域ごとに、多視点（本例では３視点）の絵柄１０２ａ，１０２ｂ，１０２ｃが印画される。
【００３８】
図３は、熱昇華型のプリント装置１０の一例の機構を示す内部透視図であり、印画用のレンチキュラーシート１００を供給する状態を示している。
【００３９】
本例のプリント装置１０は、合計５色の各色別のインクリボンを使用しており、各色毎に、レンチキュラーシート１００の順送（図中矢印Ｆ方向への搬送）と逆送（図中矢印Ｆと反対の方向への搬送）とを繰り返し行う。
【００４０】
図示しない挿入口より挿入されたレンチキュラーシート１００は、図３に示すようにその先端部が搬送ローラ２２の位置に到達する。ここで、搬送ローラ２２に対してレンチキュラーシート１００を介してキャプスタン２４を圧着させるとともに、搬送ローラ２２を駆動することにより、レンチキュラーシート１００を搬送する。
【００４１】
レンチキュラーシート１００の先端がクランパ３０に到達すると、レンチキュラーシート１００の先端はクランパ３０により挟持され、キャプスタン２４は搬送ローラ２２から退避させられる。
【００４２】
クランパ３０は、駆動ベルト３２、駆動プーリ３４および従動プーリ３６を含んで構成されたクランパ搬送部により、搬送される。駆動プーリ３４および従動プーリ３６には駆動ベルト３２が巻き掛けられている。駆動プーリ３４は、駆動モータ４４から減速機構４６を介して駆動される。
【００４３】
また、プラテンローラ２０とクランパ３０の間には、光学センサ４０が配設されている。この光学センサ４０の検出信号に基づいて、レンチキュラーシート１００の傾き（アジマス角）を検知することができる。また、レンチキュラーシート１００に付加された後述の付加情報を読み取ることができる。
【００４４】
レンチキュラーシートの傾きを図示省略の機構により調整した後、クランパ３０を矢印Ｆ方向において移動させることにより、レンチキュラーシート１００を印画開始位置に搬送し、その後、サーマルヘッド１４による印画を開始させる。１色分の印画が終了すると、駆動プーリ３４を逆転させてクランパ３０を逆方向（矢印Ｆの反対側）へ平行移動させ、レンチキュラーシート１００を再び印画開始位置に戻す。
【００４５】
リボンケージ１２には、５対の巻取りリール１６、供給リール１８が等間隔に配設されており、５対のリールには、それぞれＲ、Ｙ、Ｍ、Ｃ、Ｗのインクリボンがセットされる。リボンケージ１２は、図示しないガトリング機構により所望のリボンがサーマルヘッド１４の位置にくるように回転させられる。なお、Ｒのインクリボンの代わりに他のインクリボンをセットしてもよいし、省略してもよい。
【００４６】
本例のサーマルヘッド１４は、リボンケージ１２内に収められており、印画時には、インクリボン（図１の１１０）及びレンチキュラーシート１００を介してプラテンローラ２０に当接する印画位置に配置され、インクリボンの切替えやレンチキュラーシート１００の逆送時にはプラテンローラ２０から退避する退避位置に配置される。
【００４７】
次に、第１実施形態について説明する。
【００４８】
図４は、第１実施形態におけるプリント装置１０ａの要部ブロック図である。
【００４９】
プリント装置１０ａは、主として、システム制御部５０、ヘッドドライバ５１、モータドライバ５２、画像処理部５３、センサ５４、インクリボン制御部５５、操作部５６、モニタ部５７、メモリ部５８、入出力部５９、シート搬送制御部６０、シートサイズ判定部６１、画像サイズ判定部６２、付加情報処理部６３、および、サーマルヘッド１４を含んで構成されている。
【００５０】
システム制御部５０は、立体視画像（３Ｄ画像）をレンチキュラーシートにプリントするためのプログラムにより各部を統括制御する。
【００５１】
ヘッドドライバ５１は、サーマルヘッド１４を駆動する。
【００５２】
モータドライバ５２は、図１に示した搬送ローラ２２、駆動モータ４４等のモータを駆動する。
【００５３】
画像処理部５３は、３Ｄカメラ等により撮影したカラーの２視点画像（左右画像）を取得し、これらの左右画像から特徴が一致する特徴点のずれ量（視差量）を画素毎に算出する。算出した視差量を３Ｄプリント用に調整した後、調整した視差量を補間して多視点画像（３視点以上の画像、例えば６視点画像）を生成する。画像処理部５３は、Ｒ、Ｇ、Ｂの多視点画像を、更にＹ、Ｍ、Ｃに色変換し、色変換された多視点画像から各視点ごとのＹ信号、Ｍ信号、及びＣ信号を生成する。
【００５４】
また、画像処理部５３は、Ｙ信号、Ｍ信号、及びＣ信号のピッチとレンチキュラーシート１００のピッチＡとが異なる場合には、レンチキュラーシート１００のピッチＡに応じてＹ信号、Ｍ信号、及びＣ信号を補正する。
【００５５】
尚、画像処理部５３で行う処理を、入出力部５９を介して接続されたＰＣ９０で行い、その結果を後述の入出力部５９を介して受信するようにしてもよい。
【００５６】
センサ５４は、図４に示した光学センサ４０を含み、それぞれ検出した検出信号をシステム制御部５０に出力する。
【００５７】
また、センサ５４は、レンチキュラーシート１００に記録された検知用パターン１０３（後に詳述）を検出し、検出した検出信号をシステム制御部５０に出力する。システム制御部５０は、検出信号に基づいてレンチキュラーシート１００の搬送路に対するレンチキュラーシート１００の回転量（斜行量）、レンズピッチ、印画開始位置等を検出する。
【００５８】
インクリボン制御部５５は、図１に示したリボンケージ１２を回転させるガトリング機構（図示せず）と、リボンケージ１２に配設された巻取りリール１６、供給リール１８を駆動するリール駆動機構とを含むインクリボン機構を制御する。インクリボン制御部５５は、リボンケージ１２を回転させると共に、インクリボンの給送を行う。
【００５９】
操作部５６は電源スイッチ、プリント開始スイッチ、プリント枚数等を設定するスイッチ等から構成され、操作部５６での操作による信号は、システム制御部５０に入力される。
【００６０】
モニタ部５７は、液晶表示デバイス等の表示デバイスによって構成されている。
【００６１】
メモリ部５８は、例えば、ＲＯＭ(Read Only Memory)、ＲＡＭ(Random Access Memory)、ＥＥＰＲＯＭ(Electrically Erasable and Programmable ROM)を含んで構成されている。
【００６２】
入出力部５９は、ＰＣ（パーソナルコンピュータ）９０等の外部デバイスとの間で通信を行う。
【００６３】
シート搬送制御部６０は、図１に示した搬送ローラ２２、キャプスタン２４、クランパ３０、駆動モータ４４を含むシート搬送機構を制御する。シート搬送制御部６０は、レンチキュラーシート１００の挿入時に挿入されたレンチキュラーシート１００をプラテンローラ２０へ搬送するとともに、サーマルヘッド１４による印画時にレンチキュラーシート１００を平行移動させる搬送を行う。
【００６４】
シートサイズ判定部６１は、レンチキュラーシート１００の印画可能サイズを判定する。
【００６５】
画像サイズ判定部６２は、レンチキュラーシート１００に印画される画像の印画サイズを判定する。
【００６６】
付加情報処理部６３は、付加情報を生成して、その付加情報をレンチキュラーシート１００に付加する。
【００６７】
付加情報としては、残り印画可能サイズ、検知用パターン（レンズ位置情報）、視点位置情報（レンズ内位置情報）、レンズピッチ情報を含む。
【００６８】
残り印画可能サイズは、多視点画像の印画が中止された場合における、レンチキュラーシート１００の残り印画可能領域の最大サイズを示す。
【００６９】
検知用パターンは、レンチキュラーシート１００にてレンズの長手方向と平行な形状のパターンであって、受容層１０２にて、印画中止したレンズ位置の次行（または次行以降）のレンズ位置に、印画される。即ち、検知用パターンを読み取ることによって、残り印画可能領域の先頭のレンズ位置を検知することができる。検知用パターンは、例えば、受容層１０２に記録された１本の直線からなる。検知用パターンは、レンズ１０１ａの長手方向と平行に記録される。なお、検知用パターンの長さは特に限定されず、短くてもよい。また、検知用パターンの本数は特に限定されず、複数本であってもよい。
【００７０】
視点位置情報は、検知用パターンの位置が、ひとつレンズに対応する複数視点のうち何番目の視点位置であるかを示す。
【００７１】
レンズピッチ情報は、レンズの配置ピッチ（谷と谷との間の距離、図１のＡ）を示す。
【００７２】
サーマルヘッド１４は、レンチキュラーシート１００の搬送方向と直交する方向に多数の発熱素子が配列されている。システム制御部５０は、メモリ部５８に格納された印画データに基づいて、１ラインごとに印画データに対応する濃度となるようにヘッドドライバ５１を介して各発熱素子の温度を制御し、インクリボンのインクを昇華させてレンチキュラーシート１００に転写させ、続いてシート搬送制御部６０によりレンチキュラーシート１００を１ライン分送り、以下同様にして次々と各ラインの熱転写を行わせる。
【００７３】
図５は、第１実施形態におけるプリント処理の一例の流れを示すフローチャートである。当該処理は、図４のプリント装置１０ａのシステム制御部５０により行われる。
【００７４】
ステップＳ１０１にて、入出力部５９によりＰＣ９０から２視点画像（左右視点画像）を取得し、画像処理部５３により２視点画像からプリント用の多視点画像を生成して、メモリ部５８に格納する。具体的には、各視点ごとのＹ，Ｍ，Ｃ信号を生成してメモリ部５８に記憶する。ＰＣ９０にて多視点画像を生成してもよい。
【００７５】
ステップＳ１０２にて、シート搬送制御部６０により、レンチキュラーシート１００をプリント装置１０ａの内部に搬送するとともに、シートサイズ判定部６１により、レンチキュラーシート１００の最大印画可能サイズを判定する。
【００７６】
ステップＳ１０３にて、シート搬送制御部６０により、レンチキュラーシート１００のレンズ長手方向とサーマルヘッド１４の走査方向とを平行にして、レンチキュラーシート１００の印画開始位置を決める。レンズピッチが可変である場合には、レンズピッチを検出する。
【００７７】
ステップＳ１０４にて、メモリ部５８から多視点画像を読み込み、サーマルヘッド１４により、レンチキュラーシート１００の端部から印画を開始する。即ち、画素数、視点数、各画素の色などに応じて、レンチキュラーシート１００にインクリボン１１０のインクを転写する。
【００７８】
ステップＳ１０５にて、印画を中止するか否かを判定する。例えば、操作部５６にて印画中止指示が入力されたときや、ＰＣ９０から印画中止信号を受信したときには、印画中止と判定して、システム制御部５０の制御によりサーマルヘッド１４による画像の印画を中止させる。印画を中止しなかった場合にはステップＳ１０９に進み、印画を続ける場合にはステップＳ１０５に戻る。
【００７９】
印画を中止した場合、ステップＳ１０６にて、付加情報処理部６３により、画像のどこまで印画したかを求めて、残り印画可能サイズを求める。即ち、レンチキュラーシート１００の未印画部分での印画可能な最大サイズを求める。例えば、レンズ本数を単位とした残り印画可能サイズは、次式により算出される。
【００８０】
［数１］
残り印画可能サイズ＝（最初のレンチキュラーシートの最大印画可能サイズにおけるレンズ本数）−（印画済画素領域におけるレンズ本数）
ステップＳ１０７にて、付加情報処理部６３により、検知用パターンがレンチキュラーシート１００のレンズのうち何番目の視点位置であるかを示す視点位置情報を求める。例えば、検知用パターンの印画位置にて、現在のサーマルヘッド１４がレンズに対してどの位置に対向しているかを求めることで、視点位置情報を求める。レンズのどの位置に対向しているかは、どの視点まで印画したかに基づいて求まる。
【００８１】
ステップＳ１０８にて、サーマルヘッド１４により、付加情報をレンチキュラーシート１００に印画する。本例では、まず、検知用パターンを印画し、次に、レンチキュラーシート１００をレンズ１ライン分搬送して、残り印画可能サイズ、検出用パターンの位置情報、および、レンズピッチ情報を印画する。  
【００８２】
付加情報を印画したレンチキュラーシートの一例を図６に示す。図６にて、符号２００の画像を印画中であったとする。この画像の印画を中止したとき、本例では、符合２０１の領域に、残り印画可能サイズ２０２と検知用パターン２０３とを印画する。縦方向の符号２０９の各線は、レンズ間の谷を示す。本例の残り印画可能サイズ２０２は、最大「２Ｌ」サイズ（127×180m2）の印画が可能であることを示している。また、本例では、検知用パターン２０３が視点位置情報およびレンズピッチ情報を含んでおり、点線の長さにより、何番目の視点位置であるか、およびレンズピッチを示す。点線の個数により視点位置およびレンズピッチを表すようにしてもよい。
【００８３】
以上説明したように付加情報を印画中止シートに付加すれば、印画中止シートを再度プリント装置にセットし直して印画するとき、付加情報があればプリント開始までの前処理時間を短縮することができるとともに、印画精度向上も行なえる。なお、付加情報として、残り印画可能サイズ、検出用パターン、視点位置情報、および、レンズピッチ情報の全てを印画中止シートに付加する場合を例に説明したが、そのような場合に本発明は特に限定されない。残り印画可能サイズおよび検出用パターンのうち少なくとも一方が付加されていれば、残り印画可能領域を検出することが可能である。もっとも、レンズの傾き調整のための前処理を短縮する観点からは、少なくとも検出用パターンが付加されていることが、望ましい。また、残り印画可能サイズの測定や算出を不要にする観点から、少なくとも残り印画可能サイズが付加されていることが、望ましい。残り印画可能サイズおよび検出用パターンの両方が少なくとも付加されていることが、より望ましい。
【００８４】
次に、第２実施形態について説明する。
【００８５】
図７は、第２実施形態におけるプリント装置１０ｂの要部ブロック図である。なお、図７にて、図４に示した第１実施形態と同じ構成要素には同じ符号を付してあり、説明済みの事項についてはその説明を省略する。
【００８６】
本実施形態のプリント装置１０ｂは、レンチキュラーシート１００に印画された付加情報の位置およびその付加情報の色に対応した部分を有する画像をメモリ部５８から検索する画像検索部６４を備える。システム制御部５０は、検索された画像を、サーマルヘッド１４により付加情報の上に印画する。
【００８７】
また、本実施形態にて、センサ５４は、レンチキュラーシート１００から付加情報を読み取る。
【００８８】
図８は、第２実施形態におけるプリント処理の一例の流れを示すフローチャートである。当該処理は、プリント装置１０ｂのシステム制御部５０により行われる。
【００８９】
ステップＳ２０２にて、シート搬送制御部６０により、レンチキュラーシート１００をプリント装置１０ｂの内部に搬送するとともに、センサ５４により、レンチキュラーシート１００の端部を読み取る。
【００９０】
ステップＳ２０３にて、シート搬送制御部６０により、さらにレンチキュラーシート１００を搬送方向Ｆにて搬送して、センサ５４により、レンチキュラーシート１００から付加情報を読み取る。
【００９１】
ステップＳ２０４にて、付加情報を読み取ることができたか否かを判定し、読み取ることができたときにはステップＳ２０５に進み、読み取ることができなかったときにはステップＳ２１０に進む。
【００９２】
ステップＳ２０５にて、検出用パターンの読取結果に基づいて、レンチキュラーシート１００のレンズ長手方向とサーマルヘッド１４の走査方向とを平行にする。
【００９３】
ステップＳ２０６にて、画像検索部６４により、付加情報の印画位置と同じ位置が同じ色である画像を、メモリ部５８から検索する。
【００９４】
例えば、図９に示すように、レンチキュラーシート１００の端部から印画方向に沿って印画中に印画を中止して、付加情報を印画した場合、その付加情報の位置および色（本例では黒）に対応した部分を有する画像３２１を検索する。即ち、付加情報２０１の印画領域幅Ｗａに対応する領域が付加情報の色と同じである画像３２１を検索する。
【００９５】
ステップＳ２０７にて、検索できたか否かを判定し、検索できた場合にはステップＳ２０８に進み、存在しない場合にはステップＳ２０９に進む。
【００９６】
ステップＳ２０８では、付加情報に基づいて、レンチキュラーシート１００の付加情報の上に画像を印画するようにレンチキュラーシート１００の印画開始位置を決め、レンチキュラーシート１００の付加情報の上に画像を印画する。
【００９７】
付加情報の印画位置および色に対応した画像が存在しない場合、ステップＳ２０９にて、付加情報に基づいて、レンチキュラーシート１００の付加情報を避けて画像を印画するようにレンチキュラーシート１００の印画開始位置を決め、レンチキュラーシート１００の付加情報を避けて画像を印画する。
【００９８】
付加情報を読み取ることができなかった場合、ステップＳ２１０にて、レンズ長手方向、レンズ位置およびレンズピッチを測定し、その測定結果に基づいて、レンチキュラーシート１００のレンズ長手方向とサーマルヘッド１４の走査方向とを平行にする。
【００９９】
ステップＳ２１１にて、測定結果に基づいて、レンチキュラーシート１００の印画開始位置を決め、画像をレンチキュラーシート１００に印画する。
【０１００】
本実施形態によれば、付加情報の位置および色に対応した部分を有する画像を付加情報の上から印画しても、付加情報は外部に現われないので、印画中止シートの利用効率を向上させることができる。
【０１０１】
次に、第３実施形態について説明する。
【０１０２】
図１０は、第３実施形態におけるプリント装置１０ｃの要部ブロック図である。なお、図１０にて、図４に示した第１実施形態と同じ構成要素には同じ符号を付してあり、説明済みの事項についてはその説明を省略する。
【０１０３】
本実施形態のプリント装置１０ｃは、レンチキュラーシート１００の一部を切除するシート切除部６５を備える。
【０１０４】
本実施形態の付加情報処理部６３は、シート切除部６５によりレンチキュラーシート１００の一部を切除することで、レンチキュラーシート１００に付加情報を付加する。
【０１０５】
図１１は、第３実施形態におけるプリント処理の一例の流れを示すフローチャートである。当該処理は、プリント装置１０ｃのシステム制御部５０により行われる。
【０１０６】
ステップＳ３０１〜Ｓ３０６は、第１実施形態におけるステップＳ１０１〜Ｓ１０６と、同様である。
【０１０７】
ステップＳ３０７にて、シート切除部６５により、残り印画可能サイズ（レンチキュラーシート１００の残り部分で印画可能な最大サイズ）を示す形状で、レンチキュラーシート１００を切除する。切除の態様は特に限定されず、例えば、切り取って切り欠きを形成してもよいし、切り抜いて切りぬき穴を形成してもよい。
【０１０８】
図１２の符号２３１は、印画中止直後のレンチキュラーシートの一例を示す。
【０１０９】
図１２の符号２３２は、印画済部分に、付加情報として切り抜き穴２３３を形成したレンチキュラーシートの一例を示す。本例にて、シート切除部６５は、残り印画可能サイズに対応した個数で、切り抜き穴を形成する。
【０１１０】
図１２の符号２３４は、印画済部分に、付加情報として略長方形状の切り欠き２３５を形成したレンチキュラーシートの一例を示す。本例にて、シート切除部６５は、残り印画可能サイズに対応した形状で、切り欠きを形成する。
【０１１１】
本実施形態によれば、シートの切除形状（即ち端部形状）により付加情報を表現することで、付加情報をシートの残り部分に印画する場合と比較して、シートの残りの部分を有効に利用することができる。
【０１１２】
次に、第４実施形態について説明する。
【０１１３】
図１３は、第４実施形態におけるプリント装置１０ｄの要部ブロック図である。なお、図１３にて、図４に示した構成要素には同じ符号を付してあり、説明済みの事項についてはその説明を省略する。
【０１１４】
本実施形態のプリント装置１０ｄは、メモリ部５８に記憶されている画像の表示順番を変更する画像順番変更部６６を備える。
【０１１５】
本実施形態のモニタ部５７は、システム制御部５０の制御により、メモリ部５８に記憶されている複数の画像を印画予定の順番に表示する。
【０１１６】
画像順番変更部６６は、モニタ部５７に表示された画像の表示順番と異なる順番で印画された場合、印画結果に応じてモニタ部５７に表示する画像の表示順番（画像表示順番）を変更する。画像のファイル番号を変更してもよい。
【０１１７】
また、本実施形態の画像検索部６４は、残り印画可能領域サイズ（残り印画可能サイズ）以下の印画サイズが設定されている画像を、メモリ部５８から検索する。
【０１１８】
図１４は、第４実施形態におけるプリント処理の一例の流れを示すフローチャートである。当該処理は、プリント装置１０ｄのシステム制御部５０により行われる。
【０１１９】
ステップＳ４０１は、第１実施形態におけるステップＳ１０１と同様である。
【０１２０】
モニタ部５７には、メモリ部５８に記憶されている複数の画像が、図１５（Ａ）に示すように、印画予定順番で表示される。即ち、操作部５６によりユーザが最初に印画開始指示を入力したときの印画予定の順番で表示される。
【０１２１】
ステップＳ４０２にて、シート搬送制御部６０により、レンチキュラーシート１００を搬送し、センサ５４により、レンチキュラーシート１００から付加情報を読み取る。
【０１２２】
ステップＳ４０３にて、残り印画可能サイズがレンチキュラーシート１００に付加されているか否かを判定し、付加されていた場合にはステップＳ４０４に進み、付加されていなかった場合にはステップＳ４１０に進む。
【０１２３】
例えば、図１５（Ｂ）に示すように、印画中止により付加情報が付加されたレンチキュラーシート１００がプリント装置１０ｄの内部に搬送された場合には、ステップＳ４０４に進む。
【０１２４】
ステップＳ４０４にて、画像検索部６４により、残り印画可能サイズ以下の印画サイズが設定されている印画予定画像をメモリ部５８から検索する。
【０１２５】
ステップＳ４０５にて、検索条件に一致する画像が存在するか否かを判定し、存在する場合にはステップＳ４０６に進み、存在しない場合にはステップＳ４１２に進む。
【０１２６】
例えば、付加情報の残り印画可能サイズが「Ｌ」サイズであった場合、図１５（Ａ）に示した未印画であって印画中止画像よりも順番が後ろの画像（例えば順番２〜８の画像）のうち、順番６の画像の印画サイズが「Ｌ」であれば、その順番６の画像が検索されて、ステップＳ４０６に進む。
【０１２７】
ステップＳ４０６にて、検出用パターンがレンチキュラーシート１００に付加（印画）されているか否かを判定し、付加されていた場合にはステップＳ４０７に進み、付加されていなかった場合にはステップＳ４１３に進む。
【０１２８】
ステップＳ４０７にて、検出用パターンに基づいて、レンチキュラーシート１００のレンズ長手方向とサーマルヘッド１４の走査方向とを平行にするとともに、レンチキュラーシート１００の印画開始位置とレンズピッチを決める。
【０１２９】
ステップＳ４０８にて、メモリ部５８から、画像を読み込み、サーマルヘッド１４により、レンチキュラーシート１００に印画する。
【０１３０】
ステップＳ４０９にて、画像順番変更部６６により、印画結果に応じてモニタ部５７に表示する順番（またはファイル番号）を変更する。例えば、図１５（Ａ）の順番６の画像が印画された場合、図１５（Ｃ）に示すように、表示順番が変更される。
【０１３１】
ステップＳ４０３の判定で残り印画可能サイズがレンチキュラーシート１００に付加されていなかった場合、ステップＳ４１０にて、レンチキュラーシート１００のレンズ長手方向とサーマルヘッド１４の走査方向とを平行にし、レンチキュラーシート１００を測定を測定することで、印画開始位置とレンズピッチを決める。次に、ステップＳ４１１にて、メモリ部５８から、画像データを読み込み、サーマルヘッド１４により、レンチキュラーシート１００に印画する。
【０１３２】
ステップＳ４０５の判定で検索条件に一致する画像が存在しなかった場合、ステップＳ４１２にて、レンチキュラーシート１００を排出する。
【０１３３】
ステップＳ４０６の判定で検出用パターンがレンチキュラーシート１００に付加されていなかった場合、ステップＳ４１３にて、レンチキュラーシート１００のレンズ長手方向とサーマルヘッド１４の走査方向とを平行にし、レンチキュラーシート１００を測定することで、印画開始位置とレンズピッチを決め、ステップＳ４０８に進む。
【０１３４】
本実施形態によれば、シート利用効率が向上する。
【０１３５】
なお、プリント装置１０ｄにて画像を表示する場合を例に説明したが、ＰＣ９０にて画像を表示する場合にも、本発明を適用できる。例えば、画像を記憶する記憶手段および画像検索部６４をＰＣ９０によって構成し、ＰＣ９０に付加情報を送信して、ＰＣ９０で画像検索を行う。これにより、ＰＣ操作者の混乱を避けることができる。
【０１３６】
次に、第５実施形態について説明する。
【０１３７】
図１６は、第５実施形態におけるプリント装置１０ｅの要部ブロック図である。なお、図１６にて、図４に示した第１実施形態と同じ構成要素には同じ符号を付してあり、説明済みの事項についてはその説明を省略する。
【０１３８】
本実施形態にて、インクリボンは、図１７（Ａ）に示すように、付加情報を印画するための色（付加情報印画色）の領域３５０（以下「付加情報用領域」という）が周期的に配置されている。Ｙ（イエロー），Ｍ（マゼンタ），Ｃ（シアン）のインクリボンのうち少なくとも１色以上のインクリボン１１０に、例えば黒の付加情報用領域３５０を周期的に配置する。
【０１３９】
図１７（Ｂ）は、Ｙ、Ｍ、Ｃ各色の純印画用領域を１ロールにしたインクリボンであって、各色の純印画領域３５１、３５２、３５３間に、付加情報用領域３５０を配置したものを示す。なお、インクリボンのうち付加情報用領域以外の各色（本例ではＹ、Ｍ、Ｃ）ごとの領域（各色の純印画用領域）の搬送方向における幅（Ｗｙ、Ｗｍ、Ｗｃ）は、本プリント装置１０ｅで印画可能な画像の最大印画幅に対応している。
【０１４０】
図１７（Ｃ）は、Ｙ、Ｍ、Ｃ各色の純印画用領域を１ロールにしたインクリボンであって、Ｙ、Ｍ、Ｃの一組の純印画用領域３５４ごとに、付加情報用領域３５０を配置したものを示す。本例の付加情報用領域３５０は、Ｃ色領域とＹ色領域との間に配置されている。なお、Ｗｙ、Ｗｍ、Ｗｃは、本プリント装置１０ｅで印画可能な画像の最大印画幅に対応している。
【０１４１】
本実施形態のシステム制御部５０は、印画中止時に、インクリボン制御部５５を制御し、インクリボン１１０の付加情報用領域３５０を用いて、レンチキュラーシート１００に付加情報を印画させる。
【０１４２】
図１８は、第５実施形態におけるプリント処理の一例の流れを示すフローチャートである。当該処理は、プリント装置１０ｅのシステム制御部５０により行われる。
【０１４３】
ステップＳ５０１〜Ｓ５０７およびＳ５０９は、第１実施形態の図５におけるステップＳ１０１〜Ｓ１０７およびＳ１０９と、同様である。
【０１４４】
本実施形態では、ステップＳ５０８にて、インクリボン制御部５５により、インクリボン１１０の付加情報用領域３５０をサーマルヘッド１４の印画位置に位置あわせして、サーマルヘッド１４により、付加情報をレンチキュラーシート１００に印画する。
【０１４５】
なお、付加情報用の色の領域を、純印画用の複数のリボン（Ｙリボン、Ｍリボン、Ｃリボン）のうち、いずれかひとつのリボンにのみ配置することで、インクリボン交換時期の短縮を図ることができる。
【０１４６】
次に、第６実施形態について説明する。
【０１４７】
図１９は、第実施形態におけるプリント装置１０ｆの要部ブロック図である。なお、図Ｋにて、図４に示した第１実施形態と同じ構成要素には同じ符号を付してあり、説明済みの事項についてはその説明を省略する。
【０１４８】
本実施形態の付加情報処理部６３は、レンチキュラーシート１００のうち画像未印画領域のシート搬送方向における両端部に、付加情報を印画する。
【０１４９】
図２０（Ａ）は印画済部分を切り取らずに残した場合における印画中止シートを示し、図２０（Ｂ）は印画済部分を切り取った場合における印画中止シートを示す。いずれの場合も、画像未印画領域３６０のシート搬送方向Ｆにおける両端部に付加情報が印画されている。なお、図２０（Ａ）および（Ｂ）では検出用パターンのみ例示したが、残り印画可能サイズも印画してよい。
【０１５０】
図１８は、第６実施形態におけるプリント処理の一例の流れを示すフローチャートである。当該処理は、プリント装置１０ｆのシステム制御部５０により行われる。
【０１５１】
例えば、図２０（Ｃ）に示すように、シートトレイ６８には、両端部に付加情報が付加されたレンチキュラーシート１００がセットされる。
【０１５２】
ステップＳ６０１〜Ｓ６０７およびＳ６１０は、第１実施形態におけるステップＳ１０１〜Ｓ１０７およびＳ１０９と、同様である。
【０１５３】
ステップＳ６０８にて、サーマルヘッド１４により、レンチキュラーシート１００の画像未印画領域のシート搬送方向における一端部に付加情報を印画する。
【０１５４】
ステップＳ６０９にて、シート搬送制御部６０により、シート端部が印画位置となるまでレンチキュラーシート１００を搬送し、サーマルヘッド１４により、付加情報を印画する。即ち、レンチキュラーシート１００の画像未印画領域のシート搬送方向における他端部に付加情報が印画される。
【０１５５】
本実施形態によれば、プリント装置にレンチキュラーシートをセットするときに、どちらの端部からでも直ぐにセンサで付加情報を読み取ることができる。従って、レンチキュラーシートの全域をセンサで走査しなくてもよくなり、印画開始までの前処理時間を短縮することができる。
【０１５６】
次に、第７実施形態について説明する。
【０１５７】
図２２は、第７実施形態におけるプリント装置１０ｇの要部ブロック図である。なお、図２２にて、図４に示した第１実施形態と同じ構成要素には同じ符号を付してあり、説明済みの事項についてはその説明を省略する。
【０１５８】
本実施形態のプリント装置１０ｇは、レンチキュラーシート１００のうち印画中止までに既に印画した領域であって白色で印画する予定であった領域（以下「白印画領域」という）を検出する白印画領域検出部６７を備える。
【０１５９】
本実施形態の付加情報処理部６３は、サーマルヘッド１４により、レンチキュラーシート１００のうち白印画領域に、付加情報を印画させる。
【０１６０】
さらに、付加情報処理部６３は、サーマルヘッド１４により、レンチキュラーシート１００の端部に、付加位置情報を印画させる。ここで、付加位置情報は、レンチキュラーシート１００における付加情報の印画位置を示す。
【０１６１】
図２３は、第７実施形態におけるプリント処理の一例の流れを示すフローチャートである。当該処理は、プリント装置１０ｇのシステム制御部５０により行われる。
【０１６２】
ステップＳ７０１〜Ｓ７０６およびＳ７１３は、第１実施形態におけるステップＳ１０１〜Ｓ１０６およびＳ１０９と、同様である。
【０１６３】
ステップＳ７０７にて、白印画領域検出部６７により、レンチキュラーシート１００のうち印画中止までに既に印画した範囲内に、白色で印画する予定であった領域（白印画領域）を検出する。例えば、図２４（Ａ）に示す画像３７０の印画を中止したとして、図２４（Ｂ）の例えば符号３７１で示す領域が白印画領域である。このような白印画領域３７１が検出された場合にはステップＳ７０８に進み、検出されなかった場合にはステップＳ７１１に進む。
【０１６４】
ステップＳ７０８にて、シート搬送制御部６０により、レンチキュラーシート１００の白印画領域にサーマルヘッド１４を相対的に移動させるとともに、現在のサーマルヘッド１４がレンズのどの位置に対応しているのかを求めることで視点位置情報を算出する。
【０１６５】
ステップＳ７０９にて、サーマルヘッド１４により、レンチキュラーシート１００の白印画領域３７１に、付加情報を印画する。図２４（Ｃ）は、白印画領域３７１に印画された付加情報の一例を示す。本例では、残り印画可能サイズ（「２Ｌ」サイズ）と検出用パターンとを印画し、検出用パターンには視点位置情報とレンズピッチ情報が含まれる。視点位置情報は、検出用パターンがレンズのうち何番目の視点位置に印画されているかを示す。
【０１６６】
ステップＳ７１０にて、シート搬送制御部６０により、レンチキュラーシート１００の端部にサーマルヘッド１４を相対的に移動させるとともに、レンチキュラーシート１００の端部に、付加情報の印画位置を示す情報（付加位置情報）印画する。図２４（Ｄ）は、シート端部領域３７２に印画された付加位置情報の一例を示す。本例では、レンズの長手方向と平行なパターンにより、付加位置情報を表している。
【０１６７】
白印画領域が検出されなかった場合、ステップＳ７１１にて、付加情報処理部６３により、現在のサーマルヘッド１４がレンズのどの視点位置に対応しているのか算出し、算出結果を視点位置情報とする。
【０１６８】
ステップＳ７１２は、第１実施形態におけるステップＳ１０８と、同様である。即ち、印画中止位置近傍に、付加情報（残り印画可能サイズ、検出用パターン、視点位置情報、レンズピッチ情報）を印画する。視点位置情報は、検出用パターンがレンズのうち何番目の視点位置に印画されているかを示す。
【０１６９】
なお、熱昇華型のプリント装置を例に説明したので、Ｙ，Ｍ，Ｃのいずれかの色を印画途中で印画中止した場合、印画中止時における白印画領域は無色（透明）である。インクジェット型のプリント装置などで、例えばシングルパスで印画する場合には、印画中止時における白印画領域は一般に白色である。
【０１７０】
次に、第８実施形態について説明する。
【０１７１】
図２５（Ａ）は、第８実施形態におけるプリント装置１０ｈの外観を示す斜視図である。
【０１７２】
図２５（Ａ）に示すように、本実施形態のプリント装置１０ｈは、印画を中止されたレンチキュラーシート（以下「印画中止シート」という）および未印画のレンチキュラシート（以下「未印画シート」という）がセットされるシートトレイ６８を備える。このシートトレイ６８には、シートトレイ６８にセットされた各レンチキュラーシート１００の端部の輝度を検知する輝度検知センサ６９が配置されている。本例の輝度検知センサ６９は、シートトレイ６８に配置されており、レンチキュラーシート１００の上端部（搬送方向上流側）を読み取る。
【０１７３】
図２６は、第８実施形態におけるプリント装置１０ｈの要部ブロック図である。なお、図２６にて、図４に示した第１実施形態と同じ構成要素には同じ符号を付してあり、説明済みの事項についてはその説明を省略する。
【０１７４】
本実施形態のプリント装置１０ｈは、輝度検知センサ６９で検出されたレンチキュラーシート１００の輝度に基づいて、シートトレイ６８に印画中止シートが存在するか否かを判定する印画中止シート判定部７０を備える。
【０１７５】
また、本実施形態のシート搬送制御部６０は、印画中止シート判定部７０によりシートトレイ６８に印画中止のレンチキュラーシートが存在すると判定された場合、未印画のレンチキュラーシート１００を未印画のまま排出して印画中止のレンチキュラーシートをシートトレイ６８に残す。
【０１７６】
本実施形態のシステム制御部５０は、未印画シート以外（即ち印画中止シート）を優先的に印画する制御を行う。
【０１７７】
図２７は、第８実施形態におけるプリント処理の一例の流れを示すフローチャートである。当該処理は、本実施形態のプリント装置１０ｈのシステム制御部５０により行われる。
【０１７８】
ステップＳ８０２にて、輝度検知センサ６９により、レンチキュラーシート１００の一端部（即ち必ず最初に印画される部分）の輝度を検知する。
【０１７９】
ステップＳ８０３にて、印画中止シート判定部７０により、輝度検知センサ６９で検知されたレンチキュラーシート１００の輝度に基づいて、シートトレイ６８に印画中止シートが存在するか否かを判定する。印画中止シートが存在する場合にはステップＳ８０７に進み、印画中止シートが存在しない場合にはステップＳ８０４に進む。
【０１８０】
ステップＳ８０４〜Ｓ８０６は、第１実施形態におけるステップＳ１０２〜Ｓ１０４と、同様である。
【０１８１】
ステップＳ８０７にて、シート搬送制御部６０により、印画中止シートをプリント装置１０ｈの内部に搬送するとともに、装置内部のセンサ５４により、印画中止シートの場合には付加情報を読み取る。
【０１８２】
ステップＳ８０８にて、レンチキュラーシート１００が印画中止シートであるか否かを判定し、印画中止シートである場合にはステップＳ８０５に進み、未印画シートである場合にはステップＳ８０９に進む。
【０１８３】
ステップＳ８０９にて、シート搬送制御部６０により、未印画シートを排出する。
【０１８４】
図２５（Ｂ）は、輝度検知センサ６９をプリント装置１０ｈの本体のうちレンチキュラーシート１００の挿入口に配置し、レンチキュラーシート１００の下端部（搬送方向下流側）を読み取るた場合を示す。印画中止シートと判定されなかったレンチキュラーシート１００（未印画シート）は、排出される。
【０１８５】
本実施形態によれば、優先的に印画中止シートが使用される。
【０１８６】
次に、第９実施形態について説明する。
【０１８７】
図２８は、第９実施形態におけるプリント装置１０ｉの要部ブロック図である。なお、図２８にて、図２６に示した第８実施形態と同じ構成要素には同じ符号を付してあり、説明済みの事項についてはその説明を省略する。
【０１８８】
本実施形態のプリント装置１０ｉは、シートトレイ６８にセットされたレンチキュラーシート１００の中に印画中止シートが存在すると判定された場合、メモリ部５８に記憶された画像の中から印画サイズがフルサイズ（未印画シートで印画可能な最大サイズ）よりも小さい画像を検索する画像検索部６４と、画像の印画順番を管理する印画順番管理部７１とを備える。印画順番管理部７１は、画像検索部６４により検索された画像（即ち印画サイズがフルサイズよりも小さい画像）を印画順番の先頭に移動する。
【０１８９】
図２９は、第９実施形態におけるプリント処理の一例の流れを示すフローチャートである。当該処理は、本実施形態のプリント装置１０ｉのシステム制御部５０により行われる。
【０１９０】
なお、図３０（Ａ）に示すように、第８実施形態と同様、本実施形態のプリント装置１０ｉは、シートトレイ６８に輝度検知センサ６９が配設されている。シートトレイ６８にセットされた複数枚のレンチキュラーシート１００の中に少なくとも１枚以上の印画中止シートが入っているものとして、以下説明する。
【０１９１】
ステップＳ９０２〜Ｓ９０７は、第８実施形態のステップＳ８０２〜Ｓ８０７と同様であり、説明を省略する。
【０１９２】
ステップＳ９０８にて、レンチキュラーシート１００が印画中止シートであるか否かを判定する。
【０１９３】
本例では、シートトレイ６８に配設された輝度検知センサ６９により、レンチキュラーシート１００に低輝度部分（印画部分）があると判定した場合、印画中止シートがあると判定する。
【０１９４】
未印画シートである場合にはステップＳ９０９に進み、シート搬送制御部６０により、未印画シートを排出する。
【０１９５】
印画中止シートである場合にはステップＳ９１０に進み、画像検索部６４により、印画予約された画像の中に未印画シートで印画可能なフルサイズよりも小さい画像を検索する。つまり、フルサイズ印画指定以外の画像を検索する。
【０１９６】
ステップＳ９１１にて、印画順番管理部７１により、印画サイズがフルサイズよりも小さい全ての画像（即ち検索された全ての画像）を印画順番の先頭に移動する。つまり、フルサイズ印画指定以外の画像を印画順番の先頭に集めるように、印画順番の変更を行う。
【０１９７】
例えば、図３０（Ｂ）に示すような印画予約順番であり、順番６の画像のみ印画サイズが「Ｌ」サイズ指定であって他の画像は印画サイズが全て「２Ｌ」サイズ（本例のフルサイズ）指定であったとすると、図３０（Ｃ）に示すように、印画中止シートでも印画可能性が有る順番６の画像を印画予約順番の先頭に移動する。
【０１９８】
ステップＳ９１２にて、印画順番の先頭の画像を印画中止シートで印画できるか否かを判定する。本例では、画像の印画サイズが残り印画可能サイズ以下であるか否かを判定する。印画中止シートで印画できると判定した場合にはステップＳ９０５に進み、印画中止シートで印画できないと判定した場合にはステップＳ９１３に進む。
【０１９９】
ステップＳ９１３にて、印画順番管理部７１により、印画中止シートで印画できない予約画像の順番を印画中止シートで印画できる予約画像の後ろに下げる。
【０２００】
なお、印画順番管理部による印画順番の変更は、印画中止シート以外のレンチキュラーシート（即ち未印画シート）の排出処理の前後もしくは排出中のいずれに行ってもよい。
【０２０１】
また、図３０（Ｄ）に示すように、プリント装置１０ｈの本体に輝度検知センサ６９を配設してもよい。印画中止シートと判定されなかったレンチキュラーシート１００（未印画シート）は、排出される。
【０２０２】
以上説明したように、本実施形態では、印画予約された複数の画像の中からフルサイズよりも小さい印画サイズの画像を検索し、検索した画像を印画順番の先頭に集めるように印画順番の変更を行うことで、印画中止シートでも印画可能な印画サイズが設定された画像を優先的に印画する。
【０２０３】
次に、第１０実施形態について説明する。
【０２０４】
図３１は、第１０実施形態におけるプリント装置１０ｊの要部ブロック図である。なお、図３１にて、図２６に示した第８実施形態と同じ構成要素には、同じ符号を付してあり、説明済みの事項についてはその説明を省略する。
【０２０５】
本実施形態のシート搬送制御部６０は、シートトレイ６８にセットされたレンチキュラーシート１００の中に印画中止シートが存在すると判定された場合、印画中止シートを排出して未印画シートをシートトレイ６８に残す。
【０２０６】
本実施形態のシステム制御部５０は、印画中止シート以外（即ち未印画シート）を優先的に印画する制御を行う。
【０２０７】
図３２は、第１０実施形態におけるプリント処理の一例の流れを示すフローチャートである。当該処理は、本実施形態のプリント装置１０ｊのシステム制御部５０により行われる。
【０２０８】
ステップＳ１００２〜Ｓ１００７は、第８実施形態のＳ８０２〜Ｓ８０７と同様である。
【０２０９】
ステップＳ１００８にて、レンチキュラーシートが印画中止シートであるか否かを判定し、未印画シートである場合にはステップＳ１００５に進み、印画中止シートである場合にはステップＳ１００９に進む。
【０２１０】
ステップＳ１００９にて、図３３に示すように、シート搬送制御部６０により、印画中止シートを印画せずに排出する。
【０２１１】
その一方で、未印画シートである場合には、印画された後、排出される。
【０２１２】
本実施形態によれば、未印画シートの印画を優先することで、印画速度を向上させることができる。印画中止シートは、非定型印画となるため、印画速度が落ちる可能性があるからである。
【０２１３】
次に、第１１実施形態について説明する。
【０２１４】
図３４は、第１１実施形態におけるプリント装置１０ｋの要部ブロック図である。なお、図３４にて、図２６に示した第８実施形態と同じ構成要素には同じ符号を付してあり、説明済みの事項についてはその説明を省略する。
【０２１５】
本実施形態のプリント装置１０ｋは、印画中止シートが検出されるまでフルサイズ未満の画像を印画しないように印画順番を制御する印画順番制御部７２を備える。
【０２１６】
図３５は、第１１実施形態におけるプリント処理の一例の流れを示すフローチャートである。当該処理は、本実施形態のプリント装置１０ｋのシステム制御部５０により行われる。
【０２１７】
図３６（Ａ）に示すように、シートトレイ６８に印画中止シートがある場合には、輝度検知センサ６９により印画中止シートが検知される。図３６（Ｂ）に示すように、シートトレイ６８に印画中止シートが無い場合には、輝度検知センサ６９により印画中止シートは検出されない。
【０２１８】
ステップＳ１１０２にて、印画順番をカウントするためのカウンタｎに初期値をセットする。
【０２１９】
ステップＳ１１０３にて、印画順番が第ｎ番目の画像の印画サイズがフルサイズ未満であるか否かを判定する。フルサイズ未満である場合にはステップＳ１１０４に進み、フルサイズである場合にはステップＳ１１０８に進む。
【０２２０】
ステップＳ１１０４にて、印画中止シート判定部７０により印画中止シートを検出したか否かを判定する。印画中止シートを検出した場合にはステップＳ１１０５に進み、印画中止シートを検出しなかった場合にはステップＳ１１０７に進む。
ステップＳ１１０５〜Ｓ１１０６は、第１０実施形態のＳ１００５〜Ｓ１００６と同様である。
【０２２１】
ステップＳ１１０７にて、カウンタｎを＋１する。
【０２２２】
ステップＳ１１０８にて、印画中止シート判定部７０により印画中止シートを検出したか否かを判定する。印画中止シートを検出しなかった場合にはステップＳ１１０５に進み、印画中止シートを検出した場合にはステップＳ１１０７に進む。
【０２２３】
例えば図３６（Ｃ）に示すように、３枚の印画予約があったとする。ここで、順番１の画像のみ印画サイズが「Ｌ」であり、順番２および順番３の画像の印画サイズは「２Ｌ」（本例のフルサイズ）である。印画予約画面はプリント装置１０ｋおよびＰＣ９０のうちいずれでもよい。
【０２２４】
図３６（Ｄ）は、シートトレイ６８の１枚目が未印画シート且つ２枚目が印画中止シート且つ３枚目が未印画シートであった場合の印画の様子を示す。１枚目のレンチキュラーシートは、未印画シートなので、印画サイズがフルサイズである第２画像４１２を印画する。２枚目のレンチキュラーシートは、印画中止シートなので、印画サイズがフルサイズ未満である第１画像４１１を印画する。３枚目のレンチキュラーシートは、残りの第３画像４１３を印画する。
【０２２５】
図３６（Ｅ）は、シートトレイ６８に印画中止シートが無い場合の印画の様子を示す。即ち、１〜３枚目のレンチキュラーシートは、全て未印画シートである。このような場合、印画サイズがフルサイズである第２画像４１２、第３画像４１３を、それぞれ１枚目、２枚目に印画し、第１画像は印画しないで待機する。
【０２２６】
本実施形態では、印画中止シートが検出されるまで、いわゆるシートフルサイズよりも小さい印画サイズが設定された画像は印画しない。従って、印画中止シートをできるだけ利用するようにすることができる。
【０２２７】
以上、発明の理解を容易にするため、第１実施形態から第１１実施形態までに分けて説明したが、これらを組み合わせた態様で本発明を実施してもよいことは、言うまでもない。
【０２２８】
また、第５実施形態のみインクリボンを用いるプリント装置に関するが、他の実施形態（第１実施形態〜第４実施形態、第６実施形態〜第１１実施形態）はインクリボンを用いない他のプリント装置（例えばインクジェットプリンタ）にも適用可能であることは、言
うまでもない。
【０２２９】
また、本明細書で説明したプリント装置の機能の一部を、パーソナルコンピュータやサーバコンピュータで実現する場合にも、本発明を適用可能である。即ち、本発明のプリント装置は、いわゆるプリンタと他のコンピュータデバイスとの組み合わせにより実現した場合を含む。
【０２３０】
本発明は、本明細書において説明した例や図面に図示された例には限定されず、本発明の要旨を逸脱しない範囲において、各種の設計変更や改良を行ってよいのはもちろんである。
【符号の説明】
【０２３１】
１０…プリント装置、１４…サーマルヘッド、５３…画像処理部、５４…センサ、５５…インクリボン制御部、５６…操作部、５７…モニタ部、５８…メモリ部、５９…入出力部、６０…シート搬送制御部、６１…シートサイズ判定部、６２…画像サイズ判定部、６３…付加情報処理部、６４…画像検索部、６５…シート切除部、６６…画像順番変更部、６７…白印画領域検出部、６８…シートトレイ、６９…輝度検知センサ、７０…印画中止シート判定部、７１…印画順番管理部、７２…印画順番制御部
【図１】
2011194729.tif 000003
【図２】
2011194729.tif 000004
【図３】
2011194729.tif 000005
【図４】
2011194729.tif 000006
【図５】
2011194729.tif 000007
【図６】
2011194729.tif 000008
【図７】
2011194729.tif 000009
【図８】
2011194729.tif 000010
【図９】
2011194729.tif 000011
【図１０】
2011194729.tif 000012
【図１１】
2011194729.tif 000013
【図１２】
2011194729.tif 000014
【図１３】
2011194729.tif 000015
【図１４】
2011194729.tif 000016
【図１５】
2011194729.tif 000017
【図１６】
2011194729.tif 000018
【図１７】
2011194729.tif 000019
【図１８】
2011194729.tif 000020
【図１９】
2011194729.tif 000021
【図２０】
2011194729.tif 000022
【図２１】
2011194729.tif 000023
【図２２】
2011194729.tif 000024
【図２３】
2011194729.tif 000025
【図２４】
2011194729.tif 000026
【図２５】
2011194729.tif 000027
【図２６】
2011194729.tif 000028
【図２７】
2011194729.tif 000029
【図２８】
2011194729.tif 000030
【図２９】
2011194729.tif 000031
【図３０】
2011194729.tif 000032
【図３１】
2011194729.tif 000033
【図３２】
2011194729.tif 000034
【図３３】
2011194729.tif 000035
【図３４】
2011194729.tif 000036
【図３５】
2011194729.tif 000037
【図３６】
2011194729.tif 000038